(57)【要約】【課題】  専門家でない一般の人が、色のルールに基づき、「自分に似合った色」を自分自身で又は家庭において的確に選択することが出来るようにするカラーコーディネイト支援ツールを提供すること。【解決手段】  黄色人種である日本女性の髪の色を複数のグループに分け、各グループごとに、純色を環状に並べた色相環１と、前記色相環１の各色の色例を直線状に並べた色彩図表２と、前記色相環１と色彩図表２の使用方法を記載した説明書３とを備えてなるカラーコーディネイト支援ツール。【選択図】        図１
2008299750.tif 000002
【特許請求の範囲】
【請求項１】
黄色人種である日本女性の髪の色を複数のグループに分け、各グループごとに、
純色を環状に並べた色相環と、前記色相環の各色の色例を直線状に並べた色彩図表と、前記色相環と色彩図表の使用方法を記載した説明書とを備えてなるカラーコーディネイト支援ツール。
【請求項２】
前記複数のグループは第１〜４の４つの髪グループであり、
前記第１髪グループの髪の色は、黒であり、
前記第２髪グループの髪の色は、暗い茶色であり、
前記第３髪グループの髪の色は、オレンジ色が強い茶色であり、
前記第４髪グループの髪の色は、明るい茶色である請求項１記載のカラーコーディネイト支援ツール。
【請求項３】
前記色相環は、赤、赤オレンジ、オレンジ、黄オレンジ、黄、黄緑、緑、青緑、青、青紫、紫、赤紫がこの順序で時計回りに配置されている請求項１又は２記載のカラーコーディネイト支援ツール。
【請求項４】
前記色彩図表は、赤紫、赤、赤オレンジの第１色グループ、オレンジ、黄オレンジ、黄の第２色グループ、黄緑、緑、青緑の第３色グループ、青、青紫、紫の第４色グループ、及び、無彩色の第５色グループにグループ分けされた色が、同一表面に配置され、
前記各グループにおいて、前記各色が前記の順序で上下方向に配置され、
前記各色は、Ｎｏ．１〜Ｎｏ．７の７種類の色例が横方向に配置され、Ｎｏ．４がその色の純色である請求項１〜３の何れか一つに記載のカラーコーディネイト支援ツール。
【請求項５】
前記説明書は、前記色相環による「同系色を組み合わせる方法」、「補色を組み合わせる方法」及び「無彩色を組み合わせる方法」と、
前記色彩図表による衣類の色のベースカラーを見分ける方法とが記載されている請求項１〜４の何れか一つに記載のカラーコーディネイト支援ツール。
【発明の詳細な説明】
【技術分野】
【０００１】
本発明は、自分が好む色を自分自身で選択することが出来る髪の色による衣類カラーコーディネイト支援ツールに関する。
【背景技術】
【０００２】
化粧品、衣料品、靴等であるコーディネート用商品の選択、購入を支援してコーディネートを容易にするコーディネート支援システムとして、例えば、特許文献１に記載のものが公知である。
【０００３】
この特許文献１記載のコーディネート支援システムは、店舗内に設置された管理装置と、この管理装置と接続された複数の端末装置とからなり、端末装置はパソコンにより構成されていた。そして管理装置には、情報処理部とデータベースを備え、データベースには、店舗内で販売されている多種多様なコーディネート商品に係る商品情報が格納されている。
【０００４】
このコーディネート支援システムは、コーディネート対象者の顔の肌色、髪色、顔の造作、挙動特性に関するデータに基づいて印象タイプを判定し、判定した印象タイプに対応する商品情報等のコーディネート支援情報を提供するものであった。
【０００５】
また、コンピュータを用いないコーディネート支援システムとして、例えば、特許文献２に記載のものが公知である。
【０００６】
この特許文献２記載のものは、自分にあった自分の個性を引き出すメイクアップ化粧品の選択に際し用いられるメイクアップ化粧料用情報シートに関するものである。
【０００７】
このメイクアップ化粧料用情報シートにおいては、縦軸及び横軸のいずれかに化粧料の色調と色相とをそれぞれとった座標上に、異なる色を呈する複数の化粧料の各色を表示する色表示を上記化粧料の色調及び色相に対応する所定位置に分布表示するとともに、化粧料の色相をとった軸と同方向の軸に沿って、肌のベース色の色相を複数の系統に分類してそれぞれの系統と化粧料の色相との相関関係を表示する表示部を設けているため、顧客の肌のベース色の色相とともに、顧客の好みの化粧料の色調及び色相を把握した上で、座標上で合理的に肌のベース色の色相と化粧料の色相との相関関係を説明しながら化粧料の推奨を行うことができるものであった。
【特許文献１】特開２００６−２４２０３号公報
【特許文献２】実用新案登録第２５８６６５９号公報
【発明の開示】
【発明が解決しようとする課題】
【０００８】
前記従来の各技術は、何れも店舗で使用されるものであり、販売員が購買者に推奨するためのものであり、一般需要者の側における支援システムではなかった。即ち、コーディネータと呼ばれる専門家用のものであった。
【０００９】
一般需要者、特に女性においては、「自分に似合った色」を自分自身で選択したいという欲望が大変強く、販売員に勧められたものを素直に納得して購入する気になれないものである。
【００１０】
購入者は、「自分にあった色」が分からないため、コーディネータの薦めに素直に従え
ないものであった。
【００１１】
自分自身で「自分に似合った色」が分かるとオシャレが楽しくなる。店の中をチラリと見ただけで「自分の色」に直行でき、似合わない色を試着する無駄がなくなる。「自分に似合った色」が分かると衝動買いによる無駄が排除される。
【００１２】
そこで、本発明は、専門家でない一般の人が、色のルールに基づき、「自分に似合った色」を自分自身で又は家庭において的確に選択することが出来るようにするカラーコーディネイト支援ツールを提供することを目的とする。
【課題を解決するための手段】
【００１３】
前記目的を達成するため、本発明は、次の手段を講じた。即ち、本発明のカラーコーディネイト支援ツールの特徴とするところは、黄色人種である日本女性の髪の色を複数のグループに分け、各グループごとに、純色を環状に並べた色相環と、前記色相環の各色の色例を直線状に並べた色彩図表と、前記色相環と色彩図表の使用方法を記載した説明書とを備えてなる点にある。
【００１４】
本願発明者は、ヘアースタイリストとして、長年にわたり様様な人種の女性に接してきた。その経験で気付いたことは、肌や髪の色が極端に明るかったり、暗かったりする人種は、服の色が選びやすいということである。北欧系の色白でブロンドの女性は、暗くて強い色を避ける。黒人の女性は原色を着ると生き生きとして見える。それでは日本女性(黄色人種）はどうか。
【００１５】
日本女性は、一般的に似た肌と髪の色を持っているが、皆同じ色が似合う訳ではないことに気が付いた。そして鋭意研究の結果、髪の色と肌の色との微妙なバランスにより、顔・髪相からの受ける印象が異なるということに気が付いた。顔の肌色は黄色人種であればほぼ同じである。しかし、髪の色は、好みにより染めることができ、それによって似合う衣料の色も変えることができる。
【００１６】
日本女性(黄色人種）に対しては、髪の色を分類し、その髪の色に適した衣類のカラーコーディネートを行うことがもっとも合理的であることを見出したのである。
【００１７】
そして、オシャレは、似合う色のコントラストとバランスで決まる。そこで、色相環と色彩図表に基づき、似合う色と、似合う色のコントラストとバランスを選択できるよう、説明書に記載するようにしたのである。
【００１８】
前記複数のグループは第１〜４の４つの髪グループであり、前記第１髪グループの髪の色は、黒であり、前記第２髪グループの髪の色は、暗い茶色であり、前記第３髪グループの髪の色は、オレンジが強い茶色であり、前記第４髪グループの髪の色は、明るい茶色であるのが好ましい。
【００１９】
前記色相環は、赤、赤オレンジ、オレンジ、黄オレンジ、黄、黄緑、緑、青緑、青、青紫、紫、赤紫がこの順序で時計回りに配置されているのが好ましい。
【００２０】
前記色彩図表は、赤紫、赤、赤オレンジの第１色グループ、オレンジ、黄オレンジ、黄の第２色グループ、黄緑、緑、青緑の第３色グループ、青、青紫、紫の第４色グループ、及び、無彩色の第５色グループにグループ分けされた色が、同一表面に配置され、前記各グループにおいて、前記各色が前記の順序で上下方向に配置され、前記各色は、Ｎｏ．１〜Ｎｏ．７の７種類の色例が横方向に配置され、Ｎｏ．４がその色の純色であるのが好ましい。
【００２１】
前記説明書は、前記色相環による「同系色を組み合わせる方法」、「補色を組み合わせる方法」及び「無彩色を組み合わせる方法」と、前記色彩図表による衣類の色のベースカラーを見分ける方法とが記載されているのが好ましい。
【発明の効果】
【００２２】
本発明のカラーコーディネート支援ツールを用いれば、自分に似合う色を個性的に選択することが出来る。また、色のルールが分かり、様々な色をユニークな組み合わせとすることが出来るようになる。
【発明を実施するための最良の形態】
【００２３】
以下、本発明の実施の形態を図面に基づき説明する。
図１に示すように、本発明のカラーコーディネイト支援ツールは、純色を環状に並べた色相環１(図１（ａ）参照）と、前記色相環１の各色の色例を直線状に並べた色彩図表２(図１（ｂ）参照）と、前記色相環１と色彩図表２の使用方法を記載した説明書３(図１（ｃ）参照）とを備えている。このカラーコーディネイト支援ツールは、髪の色に基づき分類された複数のグループ毎に設けられている。
【００２４】
なお、純色とは、各色相のもっとも彩度の高い色をいう。色相とは、赤み、黄み、緑みなどといった色みをいう。
【００２５】
前記複数のグループは第１〜４の４つの髪グループに分けられている。
前記第１髪グループの髪の色は、黒である。前記第２髪グループの髪の色は、暗い茶色である。具体的には、こげ茶、暗い赤茶のハイライトである。前記第３髪グループの髪の色は、オレンジが強い茶色である。具体的には、赤茶(オレンジ系）、赤茶のハイライト(オレンジ系）である。前記第４髪グループの髪の色は、明るい茶色である。具体的には、栗毛色、明るい茶色、暗いブロンドのハイライトである。
【００２６】
なお、本発明は、黄色人種である日本人女性の髪の色に着目して四つのグループに分けたが、この四グループに分けるものに限定されるものではない。
【００２７】
表１に髪グループ名とヘアカラーをまとめた。
【００２８】
【表１】
2008299750.tif 000003
【００２９】
髪の色によって似合う衣類の色、似合わない色が、表２のように決まる。
【００３０】
【表２】
2008299750.tif 000004
【００３１】
なお、第３髪グループは、ヘアカラーが強いオレンジなので、無彩色(中性色)のようなさめた色は使えない。
【００３２】
また、髪の色によって目指すべきトータルイメージが、表３のように決まる。
【００３３】
【表３】
2008299750.tif 000005
【００３４】
図２に示すものは、前記色相環１（「カラーウィール」と言う場合がある）の詳細図である。この色相環１は、色相を環状に並べたものである。色相環１は、赤、赤オレンジ、オレンジ、黄オレンジ、黄、黄緑、緑、青緑、青、青紫、紫、赤紫の純色がこの順序で、時計回りに、同心円状に、周方向等間隔に配置されている。各色は、白地用紙に描かれた黒縁円内に着色されている。そして相対抗する色、例えば、赤と緑は直線で結ばれ、補色関係が明瞭になるように構成されている。また各色の外周側には、その色の名称が、赤、赤オレンジ等と記載されている。
【００３５】
この色相環１は、９．５ｃｍの正方形（厚み５ｍｍ）の軽量ボードの表面に印刷されている。この軽量ボードは、心材として発泡樹脂板材を用い、その表裏両面をシート材でサンドイッチ状にしたものである。この大きさとしたのは、ショッピングの際に携帯するのに便利のためである。しかしこの大きさに限定されるものではなく、単なる紙に印刷された物であっても良い。
【００３６】
なお、この実施の形態では、１２色の色相環１であるが、２４色等であっても良く、色の数は限定されない。
【００３７】
ところで、前記色相環１に示された色には範囲があり、例えば赤色において、赤紫側の色または赤オレンジ側の色が含まれる赤は、純色の赤ではないと観念する事ができる。そ
のように観念される色の範囲を色グループと呼ぶ。そのように観念された色グループにおいては、図３に示すように、赤グループ内で青側の赤は、「冷たい赤」であり、黄側の赤は「暖かい赤」である。
【００３８】
また、黄グループで黄緑に近い色は「冷たい黄」であり、黄オレンジに近い色と原色は「暖かい黄」である。
【００３９】
図４に示すものは、前記色彩図表２（「カラーチャート」と言う場合がある）の詳細図である。この色彩図表２は、前記色相環１における各色は、一色ではなく、「グループの色」として扱うためのものである。各グループには、明るい色、暗い色、純な色、濁った色など様々な色が属する。個々各種の色を色例という。
【００４０】
前記色彩図表２は、赤紫、赤、赤オレンジの第１色グループ４、オレンジ、黄オレンジ、黄の第２色グループ５、黄緑、緑、青緑の第３色グループ６、青、青紫、紫の第４色グループ７、及び、無彩色(中性色)の第５色グループ８にグループ分けされた色が、白地用紙の同一表面に配置されている。
【００４１】
前記各色グループにおいて、前記各色が前記の順序で上から下に配置され、前記各色は、Ｎｏ．１〜Ｎｏ．７の７種類の色調などの異なる色例９が横に配置され、Ｎｏ．４がその色の純色であり、Ｎｏ．４からその左側に至るに従い（Ｎｏ．１側に至るに従い）明るい色になり、Ｎｏ．４からその右側に至るに従い（Ｎｏ．７側に至るに従い）暗い色になるように配置されている。但し、赤色と黄色は例外で、赤色の色例Ｎｏ．１とＮｏ．２は「冷たい赤」であり、Ｎｏ．１は「明るい色」、Ｎｏ．２は「暗い色」である。黄色の色例Ｎｏ．１とＮｏ．２は「冷たい黄」であり、Ｎｏ．１は「明るい色」、Ｎｏ．２は「暗い色」である。また、各色の色例９の左端には、その色の名称が、赤紫、赤、赤オレンジ‥‥中性色等と記載されている。
【００４２】
この色彩図表２は、衣類の色のベースカラーを見分ける際に使うものである。
前記色彩図表２は、開いた状態で横１２２ｃｍ×縦４６ｃｍ×厚み５ｍｍの軽量ボードの表面に印刷されている。このボードは左右二箇所に縦方向の折り目があり、左右両側に観音開きするもので、閉じた状態は横６１．５ｃｍである。前記色例９の一つの大きさは、横が２．５ｃｍ、縦が４ｃｍである。
【００４３】
この色彩図表２の軽量ボードは、前記色相環１の軽量ボードと同じものが使用されており、この軽量ボードは、心材として発泡樹脂板材を用い、その表裏両面をシート材でサンドイッチ状にしたものである。しかしこの大きさに限定されるものではなく、単なる紙に印刷された物であっても良い。
【００４４】
前記「折り目」は、裏側のシート材と心材とにスリットを形成して左右を分離し、表側のシート材は全面一枚ものとすることにより形成される。この折り目は、三枚のボードをヒンジ結合することによっても形成することが出来る。
【００４５】
左折り目の外側の下部に第１色グループが配置され、中央部に、第２,３色グループとその下部に第５色グループとが配置され、右折れ目の外側に第４色グループが配置されている。
【００４６】
また、中央部の上部に前記色相環１が印刷されている。左右の折り目の外側部分の上部に、説明書の要約１０が印刷されている。色彩図表は、折り目から閉じた状態で、印刷面は内側となる。
【００４７】
このような大きさにしたのは、色例が見やすく、色合せをするのを容易にするためであるが、この大きさに限定されるものではない。
【００４８】
通常、色彩図表２は開いて平面状にして使用されるが、観音開きして、三面鏡のようにテーブル上に自立させることができ、または壁際に立てかけて使用することも出来る。
【００４９】
なお、各グループの色彩図表２は、そこに印刷されている説明書の要約１０が異なり、色例は同じである。ただし、第３髪グループの第５色グループの見出しの「中性色」は、黒抜き文字（黒字に白）とされ、他のグループの文字（黒文字）とは異なっている。
【００５０】
なお、この実施の形態では、前記各色の色例９は、Ｎｏ．１〜Ｎｏ．７の７種類の色調などで配置したが、この数に限定されるものではない。
【００５１】
また、第１〜第５色グループに分けて配置したが、これに限定されるものではなく、グループ分けすることなく、配置しても良い。さらに縦横の列も、各色を横に並べ、その色の色例９を縦に並べても良い。
【００５２】
ここで、各色の色例９の作り方の一般例は、純色、純色＋白、純色＋黒、濁った色（純色＋反対色）、濁った色＋白、濁った色＋黒、の配合により作られる。しかしこの配合に限定されるものではない。この色例は、一般に見かける衣類の色のベースカラーが見分けやすいように作られている。
【００５３】
具体的には、表４〜表７に示すとおりである。各表に示す色記号は、マンセル値である。このマンセル値は、株式会社新紀元社２００６年１０月１９日２刷発行の「色名辞典」に印刷された色と、色彩図表２の色例９の色とを色合わせして決めたものである。従って、本発明においては、このマンセル値に一致するものに限定されるものではなく、その色に近い色であれば良い。
【００５４】
また、第５色グループの中性色は、明度尺度であり、白から黒の明度が高いものから明度が低いものの色例が、７段階に配列されている。
【００５５】
【表４】
2008299750.tif 000006
【００５６】
【表５】
2008299750.tif 000007
【００５７】
【表６】
2008299750.tif 000008
【００５８】
【表７】
2008299750.tif 000009
【００５９】
なお、赤のＮｏ．１とＮｏ．２の色例は、冷たい赤であり、黄のＮｏ．１とＮｏ．２は冷たい黄である。これらの色例は、色彩図表においては黒枠で囲われて冷たい色であることが喚起されている。
【００６０】
図５〜図１２は、前記要約１０の内容である。図５、６は、第１髪グループの色彩図表２の左右に記載の要約１０の内容である。
【００６１】
図７、８は、第２髪グループの色彩図表２の左右に記載の要約１０の内容である。
図９、１０は、第３髪グループの色彩図表２の左右に記載の要約１０の内容である。
【００６２】
図１１、１２は、第４髪グループの色彩図表２の左右に記載の要約１０の内容である。
図１３〜図５２は、説明書３である。前記説明書３は、前記色相環１による「同系色を組み合わせる方法」、「補色を組み合わせる方法」及び「無彩色を組み合わせる方法」と、前記色彩図表２による衣類の色のベースカラーを見分ける方法などが記載されている。
【００６３】
即ち、第１髪グループに対しての説明書は、次のように記載されている。
図１３に記載の説明書第１頁は、「ヘアカラー」、「スキンカラー」及び「ねらい」が記載されている。
【００６４】
図１４に記載の説明書第２頁は、カラーウィールとカラーチャートの使用方法の概要が記載されている。また、色の組み合わせの４つの方法が列挙されている。なお、説明書中「同系色」とあるは、色相環におけるある色とその左右２色の計５色の色を言い、また、「反対色」とあるのは、色相環において、ある色が向かい合った色と、その左右２つの色の計５色をいう。
【００６５】
図１５に記載の説明書第３頁は、中性色（無彩色）同士の組み合わせ方が記載されている。
【００６６】
図１６に記載の説明書第４頁は、中性色（無彩色）とアクセントカラーの組み合わせ方法が記載されている。アクセントカラーとは、有彩色のことをいう。すなわち、有彩色と無彩色の組み合わせ方法である。
【００６７】
図１７に記載の説明書第５頁は、同系色の組み合わせ方法が記載されている。
図１８に記載の説明書第６頁は、前記第５頁の続きの内容である。
【００６８】
図１９に記載の説明書第７頁は、反対色の組み合わせ方について記載されている。
図２０に記載の説明書第８頁は、前記第７頁の続きである。
【００６９】
図２１に記載の説明書第９頁は、上下のバランスについて記載されている。
図２２に記載の説明書第１０頁は、顔を引き立てるコツについて記載されている。
【００７０】
なお、各頁の構成は前記のものに限定されるものではない。
次に、前記カラーコーディネート支援ツールの具体的な使用例として、黒髪の女性が、ブラウスとスカートのカラーを選ぶ場合につき説明する。
【００７１】
まず、自分の髪の色に属するグループの支援ツールを購入する。この場合、黒髪であるので、第１髪グループのカラーコーディネート支援ツールを購入する。説明書の「ねらい」を見ると、「色の明暗、強弱で強くてシャープなイメージ」と記載されているので、この指針に沿って、以下、色を選択していく。この「色の明暗、強弱で強くてシャープなイメージ」とは、極端に薄い色、極端に暗い色、純色が似合う（１２グループのどの色でも良い）という事である。
【００７２】
先ず、ブラウスの色の選択は、自分の好みで適宜選択可能なので、色彩図表（カラーチャート）で例えば、（１）純色（Ｎｏ．４）の赤オレンジと、（２）Ｎｏ．１の黄色の二色を選択したと仮定する。
【００７３】
次に、スカートの色の選択は、前記（１）の純色の赤オレンジを選択した場合は、同系色（同じ色、隣の色、一つ置いて隣の色）、反対色（向かい合う色とその左右２つの色）、又は、中性色（無彩色）のいずれかを任意に選択可能である(その旨の説明が説明書に記載されている)。そこで、同系色を色相環（カラーウィール）から選択する。この場合、黄オレンジを選択した。次に、カラーチャートで黄オレンジグループのいずれかの色を
選択する。このとき説明書をみれば、色の強弱や明暗のコントラストを強く付けて組み合わせると、説明されているので、ブラウスの赤オレンジのＮｏ．４に対してコントラストを強く付けるためには黄オレンジのＮｏ．１かＮｏ．７が良いことをカラーチャートで決める。Ｎｏ．４の黄オレンジは強弱のコントラストがなくなるので選択できない。その結果、Ｎｏ．１の黄オレンジに決定する。
【００７４】
中性色は、無彩色なので好みによって付け加える事ができる（例えば、靴やバック等の色としては、無彩色を採用することもできる。）。
【００７５】
以上によって、ブラウスを純色の赤オレンジとし、スカートはＮｏ．１の黄オレンジとすれば、似合う色になる。
【００７６】
次に前記ブラウスが（２）のＮｏ．１の黄色を選択した場合のスカートの色の選択は、次のようになる。
【００７７】
スカートの色の選択は、説明書によれば、同系色、反対色、中性色のいずれかを選択することができるので、この場合は反対色を選択することとする。カラーウィールから同系色の赤を選択する。そして、赤のグループの中よりどの色を選ぶかをカラーチャートから選択する。このとき、説明書によれば、赤と黄グループを組み合わせる場合は、暖い赤＋暖い黄、冷い赤＋冷い黄である。Ｎｏ．１の黄は冷たい黄であるので、冷たい赤を選ぶ。すなわち、Ｎｏ．１かＮｏ．２の赤を選ぶ。そして、説明書によれば、色の強弱や明暗のコントラストを強く付けて組み合わせることと示唆しているので、Ｎｏ．１よりもＮｏ．２の赤の方がＮｏ．１の黄色に対してコントラストが強いので、Ｎｏ．２の赤を選ぶ。
【００７８】
中性色は、無彩色なので好みによって付け加える事ができる（例えば、ネックレスやブレスレットの色としては、無彩色を採用することもできる。）。
【００７９】
以上によって、ブラウスをＮｏ．１の黄色とし、スカートはＮｏ．２の赤とすれば、似合う色となる。
【００８０】
図２３乃至図５２に記載の第２乃至第４髪グループに対しての説明書も、第１髪グループのものとほぼ同じであるので、その説明は省略する。
【００８１】
なお、第２髪グループの場合、冷たい赤、冷たい黄色は似合わない。中性色（無彩色）のＮｏ．１とＮｏ．７は、極端に明るく又は暗い色なので、似合わない。黄緑のＮｏ．３の色例は強く辛らつな色なので、似合わない。
【００８２】
第３髪グループは、冷たい赤、冷たい黄は似合わない。中性色（無彩色）は似合わない。辛らつな色も似合わない。そして、同系色の組み合わせ方と、反対色の組み合わせ方が、他のグループとは異なる。すなわち、同系色を使う場合、暖かい赤、赤オレンジ、オレンジ、黄オレンジ、暖かい黄、の中から一色を選び、同系色の組み合わせを行う。反対色の組み合わせも、赤オレンジ、オレンジ、黄オレンジ、暖かい黄、の中から一色を選び、反対色の組み合わせを行う。
【００８３】
第４髪グループは、第２髪グループとほぼ同じであるが、第２髪グループと比べて、髪の色が多少明るくやわらかい印象があるので、衣服の色も多少やわらかい色を選べばよく似合う。
【００８４】
なお、本発明は、前記実施の形態に限定されるものではない。
【産業上の利用可能性】
【００８５】
本発明はアパレル産業において利用可能である。
【図面の簡単な説明】
【００８６】
【図１】本発明の実施の形態のカラーコーディネート支援ツールの構成図である。
【図２】本発明の支援ツールの構成要件である色相環の概略図である。
【図３】色には暖かい色と冷たい色があることの説明図である。
【図４】本発明の支援ツールの構成要件である色彩図表の概略図である。
【図５】第１髪グループの色彩図表の左に記載の要約の内容である。
【図６】第１髪グループの色彩図表の右に記載の要約の内容である。
【図７】第２髪グループの色彩図表の左に記載の要約の内容である。
【図８】第２髪グループの色彩図表の右に記載の要約の内容である。
【図９】第３髪グループの色彩図表の左に記載の要約の内容である。
【図１０】第３髪グループの色彩図表の右に記載の要約の内容である。
【図１１】第４髪グループの色彩図表の左に記載の要約の内容である。
【図１２】第４髪グループの色彩図表の右に記載の要約の内容である。
【図１３】本発明の支援ツールの構成要件である説明書の第１髪グループの第１頁の正面図である。
【図１４】本発明の支援ツールの構成要件である説明書の第１髪グループの第２頁の正面図である。
【図１５】本発明の支援ツールの構成要件である説明書の第１髪グループの第３頁の正面図である。
【図１６】本発明の支援ツールの構成要件である説明書の第１髪グループの第４頁の正面図である。
【図１７】本発明の支援ツールの構成要件である説明書の第１髪グループの第５頁の正面図である。
【図１８】本発明の支援ツールの構成要件である説明書の第１髪グループの第６頁の正面図である。
【図１９】本発明の支援ツールの構成要件である説明書の第１髪グループの第７頁の正面図である。
【図２０】本発明の支援ツールの構成要件である説明書の第１髪グループの第８頁の正面図である。
【図２１】本発明の支援ツールの構成要件である説明書の第１髪グループの第９頁の正面図である。
【図２２】本発明の支援ツールの構成要件である説明書の第１髪グループの第１０頁の正面図である。
【図２３】本発明の支援ツールの構成要件である説明書の第２髪グループの第１頁の正面図である。
【図２４】本発明の支援ツールの構成要件である説明書の第２髪グループの第２頁の正面図である。
【図２５】本発明の支援ツールの構成要件である説明書の第２髪グループの第３頁の正面図である。
【図２６】本発明の支援ツールの構成要件である説明書の第２髪グループの第４頁の正面図である。
【図２７】本発明の支援ツールの構成要件である説明書の第２髪グループの第５頁の正面図である。
【図２８】本発明の支援ツールの構成要件である説明書の第２髪グループの第６頁の正面図である。
【図２９】本発明の支援ツールの構成要件である説明書の第２髪グループの第７頁の正面図である。
【図３０】本発明の支援ツールの構成要件である説明書の第２髪グループの第８頁の正面図である。
【図３１】本発明の支援ツールの構成要件である説明書の第２髪グループの第９頁の正面図である。
【図３２】本発明の支援ツールの構成要件である説明書の第２髪グループの第１０頁の正面図である。
【図３３】本発明の支援ツールの構成要件である説明書の第３髪グループの第１頁の正面図である。
【図３４】本発明の支援ツールの構成要件である説明書の第３髪グループの第２頁の正面図である。
【図３５】本発明の支援ツールの構成要件である説明書の第３髪グループの第３頁の正面図である。
【図３６】本発明の支援ツールの構成要件である説明書の第３髪グループの第４頁の正面図である。
【図３７】本発明の支援ツールの構成要件である説明書の第３髪グループの第５頁の正面図である。
【図３８】本発明の支援ツールの構成要件である説明書の第３髪グループの第６頁の正面図である。
【図３９】本発明の支援ツールの構成要件である説明書の第３髪グループの第７頁の正面図である。
【図４０】本発明の支援ツールの構成要件である説明書の第３髪グループの第８頁の正面図である。
【図４１】本発明の支援ツールの構成要件である説明書の第３髪グループの第９頁の正面図である。
【図４２】本発明の支援ツールの構成要件である説明書の第３髪グループの第１０頁の正面図である。
【図４３】本発明の支援ツールの構成要件である説明書の第４髪グループの第１頁の正面図である。
【図４４】本発明の支援ツールの構成要件である説明書の第４髪グループの第２頁の正面図である。
【図４５】本発明の支援ツールの構成要件である説明書の第４髪グループの第３頁の正面図である。
【図４６】本発明の支援ツールの構成要件である説明書の第４髪グループの第４頁の正面図である。
【図４７】本発明の支援ツールの構成要件である説明書の第４髪グループの第５頁の正面図である。
【図４８】本発明の支援ツールの構成要件である説明書の第４髪グループの第６頁の正面図である。
【図４９】本発明の支援ツールの構成要件である説明書の第４髪グループの第７頁の正面図である。
【図５０】本発明の支援ツールの構成要件である説明書の第４髪グループの第８頁の正面図である。
【図５１】本発明の支援ツールの構成要件である説明書の第４髪グループの第９頁の正面図である。
【図５２】本発明の支援ツールの構成要件である説明書の第４髪グループの第１０頁の正面図である。
【符号の説明】
【００８７】
１  色相環、  ２  色彩図表、  ３  説明書、  ４  第１色グループ、  ５  第２色グループ、  ６  第３色グループ、７  第４色グループ、  ８  第５色グループ、  ９  色
例。
【図１】
2008299750.tif 000010
【図２】
2008299750.tif 000011
【図３】
2008299750.tif 000012
【図４】
2008299750.tif 000013
【図５】
2008299750.tif 000014
【図６】
2008299750.tif 000015
【図７】
2008299750.tif 000016
【図８】
2008299750.tif 000017
【図９】
2008299750.tif 000018
【図１０】
2008299750.tif 000019
【図１１】
2008299750.tif 000020
【図１２】
2008299750.tif 000021
【図１３】
2008299750.tif 000022
【図１４】
2008299750.tif 000023
【図１５】
2008299750.tif 000024
【図１６】
2008299750.tif 000025
【図１７】
2008299750.tif 000026
【図１８】
2008299750.tif 000027
【図１９】
2008299750.tif 000028
【図２０】
2008299750.tif 000029
【図２１】
2008299750.tif 000030
【図２２】
2008299750.tif 000031
【図２３】
2008299750.tif 000032
【図２４】
2008299750.tif 000033
【図２５】
2008299750.tif 000034
【図２６】
2008299750.tif 000035
【図２７】
2008299750.tif 000036
【図２８】
2008299750.tif 000037
【図２９】
2008299750.tif 000038
【図３０】
2008299750.tif 000039
【図３１】
2008299750.tif 000040
【図３２】
2008299750.tif 000041
【図３３】
2008299750.tif 000042
【図３４】
2008299750.tif 000043
【図３５】
2008299750.tif 000044
【図３６】
2008299750.tif 000045
【図３７】
2008299750.tif 000046
【図３８】
2008299750.tif 000047
【図３９】
2008299750.tif 000048
【図４０】
2008299750.tif 000049
【図４１】
2008299750.tif 000050
【図４２】
2008299750.tif 000051
【図４３】
2008299750.tif 000052
【図４４】
2008299750.tif 000053
【図４５】
2008299750.tif 000054
【図４６】
2008299750.tif 000055
【図４７】
2008299750.tif 000056
【図４８】
2008299750.tif 000057
【図４９】
2008299750.tif 000058
【図５０】
2008299750.tif 000059
【図５１】
2008299750.tif 000060
【図５２】
2008299750.tif 000061